(57)【要約】      （修正有）【課題】設置する場所の地形に影響されず、且つ効率よく土壌から排水することができる土壌排水装置を提供する。【解決手段】内部空間を上板１３側の上部空間Ｒ１と下板側１５の下部空間Ｒ２とに仕切ると共に、下部空間Ｒ２に向かって開口する水進入端４２１から、集水手段１外に向かって開口する水排出端４２２まで延伸する排水管４２を有する集水手段１と、空気を加圧して出力できるポンプユニット３０及びポンプユニット３０から下部空間Ｒ２に延伸してポンプユニット３０により出力される空気を下部空間Ｒ２内に送り込む第１の送気管４４を有する空気ポンプ手段３とを備え、下部空間Ｒ２内にある水を排水管４２に押し込んで排出させる。【選択図】図２
0003227106.tif 000002
【実用新案登録請求の範囲】
【請求項１】
集水手段と、空気ポンプ手段と、フィルタ手段と、を備えた土壌排水装置であって、
前記集水手段は、
第１の水進入口が形成されている上板と、
前記上板の下側に配置される下板と、
前記上板から前記下板まで延伸し、且つ、前記上板及び前記下板と共に内部空間を囲む周壁と、
前記内部空間を前記上板側の上部空間と前記下板側の下部空間とに仕切るように配置構成されていると共に、前記上板側の前記上部空間及び前記下板側の前記下部空間の両方に向かって開口する第１の水通過口が形成された第１の仕切り板と、
前記下部空間に向かって開口する水進入端から、前記集水手段外に向かって開口する水排出端まで延伸する排水管と、
を有し、更に、前記周壁には、前記上部空間に連通する第２の水進入口が形成されており、
前記空気ポンプ手段は、
空気を加圧して出力できるポンプユニットと、
前記第１の水通過口に配置され、前記第１の水通過口における前記上部空間と前記下部空間との連通状態を切り替えるバルブと、
前記下部空間内の水量を検知すると共に、検知結果に応じて前記バルブを制御するスイッチと、
前記ポンプユニットから前記下部空間に延伸して前記ポンプユニットにより出力される空気を前記下部空間内に送り込むことにより、前記下部空間内にある水を前記排水管の前記水進入端に押し込み前記水排出端より排出させる第１の送気管と、
を有しており、
前記フィルタ手段は、前記第１の水進入口を覆う第１の土砂フィルタと、
前記第２の水進入口を覆う第２の土砂フィルタと、を有している
ことを特徴とする土壌排水装置。
【請求項２】
前記集水手段は、
前記上部空間を前記上板側のポンプ収容空間と前記第１の仕切り板側の水収容空間とに仕切るように配置構成されていると共に、前記上板側の前記ポンプ収容空間及び前記第１の仕切り板側の前記水収容空間の両方に向かって開口する第２の水通過口が形成された第２の仕切り板と、
両端が前記第１の水進入口と前記第２の水通過口とにそれぞれ連通するよう、前記上板から前記第２の仕切り板まで延伸するように配置構成されることにより、前記第１の水進入口からの水が前記ポンプ収容空間に進入するのを阻止する水通過管と、
外部からの空気を前記ポンプ収容空間に供給できるように、前記ポンプ収容空間に向かって開口する空気供給端から、前記集水手段外に向かって開口する空気進入端まで延伸する空気供給管と、
を更に有する上、前記周壁に形成された前記第２の水進入口は、前記ポンプ収容空間に連通せずに前記水収容空間に連通するように配置構成されており、
前記空気ポンプ手段の前記ポンプユニットは、前記ポンプ収容空間内に配置されて前記空気供給管により前記ポンプ収容空間内に供給される空気を前記第１の送気管に出力し、
前記第１の送気管は、前記第２の仕切り板及び前記第１の仕切り板を貫通するように配置構成されていることを特徴とする請求項１に記載の土壌排水装置。
【請求項３】
前記集水手段を複数備え、且つ、
前記空気ポンプ手段の前記ポンプユニットは各前記集水手段から離れて設置されており、
各前記集水手段にそれぞれ対応して前記ポンプユニットにより出力される空気を各前記集水手段の前記下部空間内に送り込む複数の前記第１の送気管を有していることを特徴とする請求項１に記載の土壌排水装置。
【請求項４】
前記集水手段は、
複数の通気孔が形成され、且つ、前記下板の下側に配置構成されて前記下板と共に空気収容空間を囲むボトム板を更に有し、
前記空気ポンプ手段は、
前記ポンプユニットから前記空気収容空間に延伸して前記ポンプユニットにより出力される空気を前記空気収容空間内に送り込むことにより、前記ポンプユニットにより出力される空気を前記複数の通気孔を経由して放出させる第２の送気管を更に有する上
前記ポンプユニットは、
空気を加圧して出力できるポンプ本体と、
連通管を経由してポンプ本体より出力された空気を前記第１の送気管と第２の送気管とのいずれかに出力するかを制御する送気制御部と、を有するように構成されており、
前記フィルタ手段は、前記複数の通気孔を覆う第３の土砂フィルタを更に有していることを特徴とする請求項１〜請求項３のいずれか１項に記載の土壌排水装置。
【請求項５】
前記空気ポンプ手段は、
無線受信部を有し、該無線受信部により受信した制御信号に基づいて前記ポンプユニットを制御するポンプ制御モジュールを更に有していることを特徴とする請求項１〜請求項４のいずれか１項に記載の土壌排水装置。
【請求項６】
前記空気ポンプ手段は、
前記ポンプユニットの連続稼動時間が所定の時間に到達すると前記ポンプユニットの稼動を強制停止する保護モジュールを更に有していることを特徴とする請求項１〜請求項５のいずれか１項に記載の土壌排水装置。
【考案の詳細な説明】
【技術分野】
【０００１】
本考案は土壌排水装置に関する。
【背景技術】
【０００２】
植物の成長に必須な土壌は、水の浸透性や保水性等を確保しなければ、土壌中にある有機物が腐敗し、腐敗による有害ガスの発生により植物の繁茂に適さない土壌になってしまう問題点がある。
【０００３】
このため、従来から排水管などを設置する暗渠排水管が提案されているが、排水管のみでは排水の効率が悪く、そして低地では排水管による排水ができない問題点がある。
【０００４】
一方、排水ポンプを設置する場合、水を含む土砂も水と共に排水ポンプ内に吸い込まれて排水ポンプが詰まる問題が生じる。
【考案の概要】
【考案が解決しようとする課題】
【０００５】
したがって、本考案は設置する場所の地形に影響されず、且つ効率よく土壌から排水することができる土壌排水装置のを提供を目的とする。
【課題を解決するための手段】
【０００６】
本考案は、集水手段と、空気ポンプ手段と、フィルタ手段と、を備えた土壌排水装置であって、前記集水手段は、第１の水進入口が形成されている上板と、前記上板の下側に配置される下板と、前記上板から前記下板まで延伸し、且つ、前記上板及び前記下板と共に内部空間を囲む周壁と、前記内部空間を前記上板側の上部空間と前記下板側の下部空間とに仕切るように配置構成されていると共に、前記上板側の前記上部空間及び前記下板側の前記下部空間の両方に向かって開口する第１の水通過口が形成された第１の仕切り板と、前記下部空間に向かって開口する水進入端から、前記集水手段外に向かって開口する水排出端まで延伸する排水管と、を有し、更に、前記周壁には、前記上部空間に連通する第２の水進入口が形成されており、前記空気ポンプ手段は、空気を加圧して出力できるポンプユニットと、前記第１の水通過口に配置され、前記第１の水通過口における前記上部空間と前記下部空間との連通状態を切り替えるバルブと、前記下部空間内の水量を検知すると共に、検知結果に応じて前記バルブを制御するスイッチと、前記ポンプユニットから前記下部空間に延伸して前記ポンプユニットにより出力される空気を前記下部空間内に送り込むことにより、前記下部空間内にある水を前記排水管の前記水進入端に押し込み前記水排出端より排出させる第１の送気管と、を有しており、前記フィルタ手段は、前記第１の水進入口を覆う第１の土砂フィルタと、前記第２の水進入口を覆う第２の土砂フィルタと、を有していることを特徴とする土壌排水装置を提供する。
【考案の効果】
【０００７】
上記構成により、本考案の土壌排水装置は、第１の水進入口や第２の水進入口を経由して集水手段内に進入する水を下部空間に貯蔵し、且つ、ポンプユニットにより加圧された空気を第１の送気管を経由して下部空間内に送り込むことにより、下部空間内にある水を排水管に押し込んで排出させるので、ポンプユニットを使用することにより集水手段の下部空間に進入した水を効率よく排出できると共に、ポンプユニット自体は空気を加圧して出力するため土砂の吸い込みによる詰まりの問題も発生しない。
【図面の簡単な説明】
【０００８】
【図１】本考案の土壌排水装置の第１の実施形態の外部構成を示す側面図である。
【図２】本考案の土壌排水装置の第１の実施形態の内部構成を示す分解斜視図である。
【図３】本考案の土壌排水装置の第１の実施形態の内部構成を示す縦断面図である。
【図４】本考案の土壌排水装置の第１の実施形態において、ポンプ収容空間内に配置されるポンプユニットの構成が示される横断面図である。
【図５】本考案の土壌排水装置の第１の実施形態が使用される様子を示す説明図である。
【図６】本考案の土壌排水装置の第２の実施形態の外部構成を示す斜視図である。
【図７】本考案の土壌排水装置の第２の実施形態における集水手段の内部構成を示す断面図である。
【図８】本考案の土壌排水装置の第２の実施形態が使用される様子を示す説明図である。
【考案を実施するための形態】
【０００９】
以下、各図面を参照して本考案の土壌排水装置の各実施形態について詳しく説明する。
【００１０】
まず、図１〜図５に本考案の土壌排水装置の第１の実施形態が示されており、図１は本考案の土壌排水装置の第１の実施形態の外部構成を示す側面図であり、図２は本考案の土壌排水装置の第１の実施形態の内部構成を示す分解斜視図であり、図３は本考案の土壌排水装置の第１の実施形態の内部構成を示す縦断面図であり、図４は本考案の土壌排水装置の第１の実施形態において、ポンプ収容空間内に配置されるポンプユニットの構成が示される横断面図であり、図５は本考案の土壌排水装置の第１の実施形態が使用される様子を示す説明図である。
【００１１】
図示のように、本考案の土壌排水装置は、集水手段１と、フィルタ手段２と、空気ポンプ手段３と、を備えている。
【００１２】
集水手段１は、第１の水進入口１３１（図２参照）が形成されている上板１３と、上板１３の下側に配置される下板１６と、上板１３から下板１６まで延伸し、且つ、上板１３及び下板１６と共に内部空間を囲む周壁１２と、内部空間を上板１３側の上部空間Ｒ１と下板１６側の下部空間Ｒ２とに仕切るように配置構成されていると共に、上板１３側の上部空間Ｒ１及び下板１６側の下部空間Ｒ２の両方に向かって開口する第１の水通過口１５１が形成された第１の仕切り板１５と、下部空間Ｒ２に向かって開口する水進入端４２１から、集水手段１外に向かって開口する水排出端４２２まで延伸する排水管４２と、で構成されていて、周壁１２には、上部空間Ｒ１に連通する第２の水進入口１２１が形成されている。
【００１３】
フィルタ手段２は、上板１３に形成される第１の水進入口１３１を覆う第１の土砂フィルタ２１と、周壁１２に形成される第２の水進入口１２１を覆う第２の土砂フィルタ２２と、で構成されていて、これにより土壌内に含まれる水と共に土砂が集水手段１内に進入することを防止することができる。
【００１４】
空気ポンプ手段３は、空気を加圧して出力できるポンプユニット３０と、第１の水通過口１５１に配置され、第１の水通過口１５１における上部空間Ｒ１と下部空間Ｒ２との連通状態を切り替えるバルブ１９と、下部空間Ｒ２内の水量を検知すると共に、検知結果に応じてバルブ１９を制御するスイッチ１８と、ポンプユニット３０から下部空間Ｒ２に延伸してポンプユニット３０により出力される空気を下部空間Ｒ２内に送り込むことにより、下部空間Ｒ２内にある水を排水管４２の水進入端４２１に押し込み水排出端４２２より排出させる第１の送気管４４と、で構成されている。
【００１５】
また、本考案の土壌排水装置の第１の実施形態は、空気ポンプ手段３が集水手段１に内蔵され、図５に示されるように共に土壌Ｓの中に埋め込まれて作動する構成を有している。
【００１６】
従って、本考案の土壌排水装置の第１の実施形態において、集水手段１は、上部空間Ｒ１を上板１３側のポンプ収容空間Ｒ１１と第１の仕切り板１５側の水収容空間Ｒ１２とに仕切るように配置構成されていると共に、上板１３側のポンプ収容空間Ｒ１１及び仕切り板１５側の水収容空間Ｒ１２の両方に向かって開口する第２の水通過口１４１が形成された第２の仕切り板１４と、両端が第１の水進入口１３１と第２の水通過口１４１とにそれぞれ連通するよう、上板１３から第２の仕切り板１４まで延伸するように配置構成されることにより、第１の水進入口１３１からの水がポンプ収容空間Ｒ１１に進入するのを阻止する水通過管１７と、集水手段１の外部からの空気をポンプ収容空間Ｒ１１に供給できるように、ポンプ収容空間Ｒ１１に向かって開口する空気供給端４１１（図３参照）から、集水手段１外に向かって開口する空気進入端４１２まで延伸する空気供給管４１と、を更に有している。
【００１７】
また、この第１の実施形態において、周壁１２に形成された第２の水進入口１２１は、ポンプ収容空間Ｒ１１に連通せずに水収容空間Ｒ１２に連通するように配置構成されている。
【００１８】
更に、この第１の実施形態において、集水手段１は、複数の通気孔１２２が形成され、且つ、下板１６の下側に配置構成されて下板１６と共に空気収容空間Ｒ３を囲むボトム板１１を更に有し、そしてフィルタ手段２は、複数の通気孔１２２を覆う第３の土砂フィルタ２３を更に有している。
【００１９】
この第１の実施形態において、空気ポンプ手段３は、ポンプユニット３０から空気収容空間Ｒ３に延伸する第２の送気管４５を更に有し、ポンプユニット３０により出力される空気を空気収容空間Ｒ３内に送り込むことにより、ポンプユニット３０により出力される空気を複数の通気孔１２２を経由して放出させることができる。
【００２０】
また、図４に示されているように、この第１の実施形態において、ポンプユニット３０は、空気を加圧して出力できるポンプ本体３２と、連通管４３を経由してポンプ本体３２より出力された空気を第１の送気管４４と第２の送気管４５とのいずれかに出力するかを制御する送気制御部３５と、を有するように構成されている。
【００２１】
なお、この実施形態において、第１の送気管４４は、第２の仕切り板１４及び第１の仕切り板１５を貫通するように配置構成されている。
【００２２】
更に、空気ポンプ手段３は、無線受信部（図示せず）を有し、該無線受信部により受信した制御信号（後述するスイッチ１８が発する信号）に基づいてポンプユニット３０のポンプ本体３２及び送気制御部３５を制御するポンプ制御モジュール（図示せず）と、ポンプユニット３０の連続稼動時間が所定の時間に到達するとポンプユニット３０の稼動を強制停止する保護モジュール（図示せず）と、を更に有し、この実施形態において、ポンプ制御モジュール及び保護モジュールは、制御基板３１として構成され、ポンプユニット３０と共にポンプ収容空間Ｒ１１内に配置されている。
【００２３】
上記構成を有する本考案の土壌排水装置の第１の実施形態は図５に示されるように、土壌Ｓ内に埋め込まれるように設置されることにより、土壌内に含まれる余分な水を第１の水進入口１３１や第２の水進入口１２１から水収容空間Ｒ１２に受け入れ、第１の水通過口１５１を経由して下部空間Ｒ２内に貯蔵し、スイッチ１８が例えば下部空間Ｒ２内に貯蔵される水の水位を検知することにより、下部空間Ｒ２内に貯蔵される水量が所定量に到達したことが検知されると、バルブ１９を制御して上部空間Ｒ１（水収容空間Ｒ１２）と下部空間Ｒ２との連通状態を連通しないように切り替える上、制御基板３１に対して制御信号を出力する。
【００２４】
制御基板３１にあるポンプ制御モジュールの無線受信部が制御信号を受信すると、ポンプユニット３０のポンプ本体３２を起動し、且つ送気制御部３５により空気を第１の送気管４４を経由して下部空間Ｒ２内に送り込むことにより、下部空間Ｒ２内にある水を排水管４２の水進入端４２１に押し込み水排出端４２２より排出させることができる。
【００２５】
また、ポンプユニット３０の連続稼動時間が所定の時間に到達したり、もしくはスイッチ３３が下部空間Ｒ２内に貯蔵される水の水位が排水管４２の水進入端４２１より下にあると検知すると、ポンプユニット３０を停止すると共に、バルブ１９を制御して上部空間Ｒ１（水収容空間Ｒ１２）と下部空間Ｒ２との連通状態を連通するように切り替えて、上部空間Ｒ１（水収容空間Ｒ１２）内にある水が再び第１の水通過口１５１を経由して下部空間Ｒ２内に進入するようにすると共に、下部空間Ｒ２内にある空気を第１の水通過口１５１及び第２の水進入口１２１を経由して土壌へ放出する。
【００２６】
また、土壌内の空気が不足する場合や、あらかじめ決められた所定のタイミングで、ポンプユニット３０のポンプ本体３２を起動し、且つ送気制御部３５により空気を第２の送気管４５を経由して空気収容空間Ｒ３内に送り込むことにより、複数の通気孔１２２を経由して放出させて集水手段１の周辺の土壌に空気を供給することができる。
【００２７】
図６〜図８に本考案の土壌排水装置の第２の実施形態が示されている。図６は本考案の土壌排水装置の第２の実施形態の外部構成を示す斜視図であり、図７は本考案の土壌排水装置の第２の実施形態における集水手段の内部構成を示す断面図であり、図８は本考案の土壌排水装置の第２の実施形態が使用される様子を示す説明図である。
【００２８】
図示のように、本考案の土壌排水装置の第２の実施形態は、集水手段１を複数備えていると共に、空気ポンプ手段３のポンプユニット３０が各集水手段１から離れて設置され、各集水手段１にそれぞれ対応してポンプユニット３０により出力される空気を各集水手段１の下部空間Ｒ２内に送り込む複数の第１の送気管４４を有する実施形態である。
【００２９】
このため、各集水手段１には空気ポンプ手段３のポンプユニット３０を収容するポンプ収容空間Ｒ１１を画成するための第２の仕切り板１４と、第１の水進入口１３１からの水がポンプ収容空間Ｒ１１に進入するのを阻止する水通過管１７と、集水手段１の外部からの空気をポンプ収容空間Ｒ１１に供給する空気供給管４１とを構成する必要はなく、図７に示される構成になっている。
【００３０】
即ち、この第２の実施形態において、各集水手段１は、第１の水進入口１３１が形成されている上板１３と、上板１３の下側に配置される下板１６と、上板１３から下板１６まで延伸し、且つ、上板１３及び下板１６と共に内部空間を囲む周壁１２と、内部空間を上板１３側の上部空間Ｒ１と下板１６側の下部空間Ｒ２とに仕切るように配置構成されていると共に、上板１３側の上部空間Ｒ１及び下板１６側の下部空間Ｒ２の両方に向かって開口する第１の水通過口が形成された第１の仕切り板１５と、下部空間Ｒ２に向かって開口する水進入端４２１から、集水手段１外に向かって開口する水排出端４２２まで延伸する排水管４２と、を有している。周壁１２には、上部空間Ｒ１に連通する第２の水進入口１２１が形成されている。
【００３１】
そしてフィルタ手段２は、上板１３に形成される第１の水進入口１３１を覆う第１の土砂フィルタ２１と、周壁１２に形成される第２の水進入口１２１を覆う第２の土砂フィルタ２２と、を有している。
【００３２】
この第２の実施形態において、空気ポンプ手段３は、図６、図７に示されているように、空気を加圧して出力できるポンプユニット３０が各集水手段１から離れて設置されているが、各集水手段１内には、第１の水通過口に配置され、第１の水通過口における上部空間Ｒ１と下部空間Ｒ２との連通状態を切り替えるバルブ１９と、下部空間Ｒ２内の水量を検知すると共に、検知結果に応じてバルブ１９を制御するスイッチ１８と、が配置されていると共に、ポンプユニット３０から各集水手段１それぞれの下部空間Ｒ２に延伸してポンプユニット３０により出力される空気を下部空間Ｒ２内に送り込むことにより、下部空間Ｒ２内にある水を排水管４２の水進入端４２１に押し込み水排出端４２２より排出させる複数の第１の送気管４４を有している。
【００３３】
また、この第２の実施形態において、ポンプユニット３０は、空気を加圧して出力できるポンプ本体３２と、連通管４３に経由してポンプ本体３２より出力された空気をいずれの第１の送気管４４に出力するかを制御する送気制御部３５と、を有するように構成されており、ポンプ本体３２はハウジング５１内に密封されている。ハウジング５１に取り付けられている空気供給管５２によりハウジング５１内に供給される空気を、連通管４３を経由してハウジング５１外に配置される送気制御部３５に送り、そして送気制御部３５及び各第１の送気管４４を介して各集水手段１へ出力するようになっている。
【００３４】
以上、本考案の好ましい実施例を説明したが、本考案はこれらに限定されるものではなく、最も広い解釈の精神および範囲内に含まれる様々な構成として、全ての修飾および均等な構成を包含するものとする。
【００３５】
例えば、第１の実施形態において、空気収容空間Ｒ３を囲むボトム板１１及び第２の送気管４５を省略し、土壌に空気を提供する機能を省略して排水機能のみを有する構成も考えられる。
【００３６】
また、第１の実施形態において、第１の送気管４４及び第２の送気管４５はいずれも第１の仕切り板１５や第２の仕切り板１４を貫通するように配置構成されているが、第１の仕切り板１５や第２の仕切り板１４を貫通せず、代わりに周壁１２の外側を経由して下部空間Ｒ２や空気収容空間Ｒ３に対して空気を出力する構成も考えられる。
【００３７】
ポンプユニット３０に関しては、ポンプ本体３２と連通管４３と送気制御部３５とを別個の部品として構成するのではなく、まとめて１つのポンプユニット３０として設計することも考えられる。
【００３８】
更に、制御基板３１にあるポンプ制御モジュールは、スイッチ１８からの制御信号の代わりに、別個に配置される中央制御システムや人によって操作されるリモートコントローラからの制御信号に応じてポンプユニット３０を制御する構成も考えられる。
【００３９】
そして第２の実施形態に関しては、連通管４３と送気制御部３５をもハウジング５１内に収容する構成や、空気供給管５２を設置せずにハウジング５１の側面に空気通過孔を設置することや、ハウジング５１自体を設置せずに、ポンプユニット３０を室内に配置する構成も考えられる。
【００４０】
更に、第２の実施形態における各集水手段に関しても、第１の実施形態と同じように、下板と共に空気収容空間を囲むボトム板と、ポンプユニットから空気収容空間に延伸する第２の送気管と、を増設し、ポンプユニットにより出力される空気を空気収容空間内に送り込むことにより、ポンプユニットにより出力される空気をボトム板に形成される通気孔を経由して放出させるように構成することも可能である。
【００４１】
無論、この場合ではポンプユニットが有する送気制御部は、各集水手段に対し、ポンプ本体より出力された空気を第１の送気管と第２の送気管とのいずれかに出力するかを制御する機能を追加するように構成する必要があり、そしてフィルタ手段は、ボトム板に形成される通気孔を覆う第３の土砂フィルタを更に有するように構成すべきである。
【産業上の利用可能性】
【００４２】
本考案は、第１の水進入口や第２の水進入口を経由して集水手段内に進入する水を下部空間に貯蔵し、且つ、ポンプユニットにより加圧された空気を第１の送気管に経由して下部空間内に送り込むことにより、下部空間内にある水を排水管に押し込んで排出させるので、ポンプユニットを使用することにより集水手段の下部空間に進入した水を効率よく排出できると共に、ポンプユニット自体は空気を加圧して出力するため土砂の吸い込みによる詰まりの問題も発生しない土壌排水装置を提供することができる。
【符号の説明】
【００４３】
１     集水手段
１１   ボトム板
１２   周壁
１２１ 第２の水進入口
１２２ 通気孔
１３   上板
１３１ 第１の水進入口
１４   第２の仕切り板
１４１ 第２の水通過口
１５   第１の仕切り板
１５１ 第１の水通過口
１６   下板
１７   水通過管
１８   スイッチ
１９   バルブ
２     フィルタ手段
２１   第１の土砂フィルタ
２２   第２の土砂フィルタ
２３   第３の土砂フィルタ
３     空気ポンプ手段
３０   ポンプユニット
３１   制御基板
３２   ポンプ本体
３５   送気制御部
４１   空気供給管
４２   排水管
４２１ 水進入端
４２２ 水排出端
４３   連通管
４４   第１の送気管
４５   第２の送気管
５１   ハウジング
５２   空気供給管
Ｒ１   上部空間
Ｒ１１ ポンプ収容空間
Ｒ１２ 水収容空間
Ｒ２   下部空間
Ｒ３   空気収容空間
Ｓ     土壌
【図１】
0003227106.tif 000003
【図２】
0003227106.tif 000004
【図３】
0003227106.tif 000005
【図４】
0003227106.tif 000006
【図５】
0003227106.tif 000007
【図６】
0003227106.tif 000008
【図７】
0003227106.tif 000009
【図８】
0003227106.tif 000010